(57)【要約】【課題】  従来のダシを取るパックは、開口部が小さくやわらかくて、開口部を両手で開けて削り節やお茶葉等の材料を袋に詰め込んでから、材料が袋から出ないように開口部を折り返し手間がかかり不便だった。そのため、開口部をしっかりと大きく広げるようにすればよい【解決手段】  そのため、抽出袋（１）の開口部（２）の周りに筒抜け部Ａ（３）を二ヶ所設け、弾性の板状体を折り曲げ一方は短く、他方は折り曲げ部（６）を設け長くし、抽出袋のそれぞれ二ヶ所の筒抜け部Ａに通し、バンド（５）の折り返し線（７）より折り曲げ部を折り返し、バンドの短い方の端に折り曲げ部を受け入れる受け入れ部（８）を設け、折り曲げ部を抽出袋の筒抜け部Ａをたぐり寄せて、受け入れ部にはずれないように入れ、抽出袋の開口部にバンドを入れる事により、指どうしで押して大きくしっかりと開けて、削り節や麦茶、煮干、椎茸、昆布等の材料を袋に入れ、指をはなした時は材料が袋からこぼれないように平坦に閉じるようにして、バンドを取り付け取り外しできるようにする。【選択図】図１
2009214932.tif 000002
【特許請求の範囲】
【請求項１】
削り節や麦茶、または、煮干、椎茸、昆布等をまとめて入れて、エキスを抽出する袋において、図１のように、抽出袋（１）の開口部（２）の周りに筒抜け部Ａ（３）を二ヶ所設け、弾性の板状体を折り曲げ一方は短く、他方は折り曲げ部（６）を設け長くし、（以下「バンド」という）抽出袋のそれぞれ二ヶ所の筒抜け部Ａに通し、バンド（５）の折り返し線（７）より折り曲げ部を折り返し、バンドの短い方の端に折り曲げ部を受け入れる受け入れ部（８）を設け、折り曲げ部を抽出袋の筒抜け部Ａをたぐり寄せて、受け入れ部にはずれないように入れ、抽出袋の開口部にバンドを入れる事により、指どうしで押して大きくしっかりと開けて、削り節や麦茶、煮干、椎茸、昆布等の材料を袋に入れ、指をはなした時は、材料が袋からこぼれないように平坦に閉じるようにして、バンドを取り付け取り外しできる抽出袋。
【請求項２】
鶏ガラや豚骨、野菜等のエキスを抽出する袋において、図３のように、一つの開口部（２）を設けた抽出袋（１）で、Ｂ面の開口部の上部に筒抜け部Ａ（３）を設け、折り曲げ部（６）を設けた二つに折れる板状体を差込こみ、折れる部分（１２）から二つに折るようにして（以下「バンド」という）、Ｂ面はＡ面より、かぶせる部分（１１）を設け少し長くし、Ａ面の上部に筒抜け部Ｂ（４）を設け、その中に硬質のものを入れるか、適度な硬さの物するかして、Ａ面にＢ面のかぶせる部分（１１）をＡ面の上部に覆いかぶせるようにし、材料を入れ、Ｏ点とＰ点とを合わせるようにしＡ面とＢ面を合わせ、折れる部分から半分に折り、Ｑ点どうしを合わせ、バンドの折り曲げ部を折り返し、バンドの短い方の端に折り曲げ部を受け入れる受け入れ部（８）を設け、バンドの折り曲げ部を抽出袋の筒抜け部Ｂをたぐり寄せて、受け入れ部にはずれないように入れ、材料がこぼれないようにし、バンドを取り付け取り外しできる抽出袋。
【発明の詳細な説明】
【技術分野】
【０００１】  削り節、麦茶、煮干、椎茸、昆布、鶏ガラ、豚骨、野菜等のエキスを抽出する袋に関するものである。
【背景技術】
【０００２】  従来の市販のダシを取るパックは、削り節を詰め込んで開口部を、折り返して使用するが、開口部が小さくて削り節等を入れるのが面倒であった。また、片手鍋で削り節のダシを取り濾すのが面倒であった。そして、その後の洗い物がたいへんであった。【０００３】  文献１のようなものはあった。
【特許文献１】特開２００１−１６３３５５号公報
【発明の開示】
【発明が解決しようとする課題】
【０００４】  従来の市販のダシを取るパックは少量しか入らず、小さな開口部をこじ開けて、削り節などを袋に詰め込んでから、袋から出ないように開口部を折り返したり、抽出袋の開口部を紐で締めたりしなければならず、面倒であった。【０００５】  また、袋に材料を入れる開口部を紐で締め、紐の付いた袋を鍋で煮出すと、後でぬれた紐をほどくのが大変であった。【０００６】  そのため、紐の代わりになるものを設け、材料をまとめて入れればよい。
【課題を解決するための手段】
【０００７】  図１のように、抽出袋（１）の開口部（２）の周りに筒抜け部Ａ（３）を二ヶ所設け、弾性の板状体を折り曲げ一方は短く、他方は折り曲げ部（６）を設け長くし、抽出袋のそれぞれ二ヶ所の筒抜け部Ａに通し、バンド（５）の折り返し線（７）より折り曲げ部を折り返し、バンドの短い方の端に折り曲げ部を受け入れる受け入れ部（８）を設け、折り曲げ部を抽出袋の筒抜け部Ａをたぐり寄せて、受け入れ部にはずれないように入れ、抽出袋の開口部にバンドを入れる事により、指どうしで押して大きくしっかりと開けて、材料を袋に入れ、指をはなした時は、材料が袋からこぼれないように平坦に閉じるようにして、バンドを取り付け取り外しできるようにする。【０００８】  また、図３のように、一つの開口部（２）を設けた抽出袋（１）で、Ｂ面の開口部の上部に筒抜け部Ａ（３）を設け、折り曲げ部（６）を設けた二つに折れる板状体を差込こみ、折れる部分（１２）から二つに折るようにして、Ｂ面はＡ面より、かぶせる部分（１１）を設け少し長くし、Ａ面の上部に筒抜け部Ｂ（４）を設け、その中に硬質のものを入れるか、適度な硬さの物するかして、Ａ面にＢ面のかぶせる部分（１１）をＡ面の上部に覆いかぶせるようにし、材料を入れ、Ｏ点とＰ点とを合わせるようにしＡ面とＢ面を合わせ、折れる部分から半分に折り、Ｑ点どうしを合わせ、バンドの折り曲げ部を折り返し、バンドの短い方の端に折り曲げ部を受け入れる受け入れ部（８）を設け、バンドの折り曲げ部を抽出袋の筒抜け部Ｂをたぐり寄せて、受け入れ部にはずれないように入れ、材料がこぼれないようにし、バンドを取り付け取り外しできるようにする。
【発明の効果】
【０００９】  この考案により、図１のように、バンドを筒抜け部Ａに入れてあるため、片手指だけで開口部がしっかりと大きく開けて材料を入れやすい。【００１０】  この考案により、図１のように、指で押すくらいの大きさなので、削り節、煮干、椎茸、昆布等をまとめて入れる事ができる。【００１１】  この考案により、材料を入れた鍋から、抽出袋を取り出せばダシ汁を濾さなくてもよい。【００１２】  この考案により、バンドが取り外せるため、新しい袋と交換できる。【００１３】  この考案により、抽出袋の使用後は、抽出袋を裏返すようにして、材料のカスを捨てることができ、袋をきれいに洗って再利用することができる。【００１４】  この考案により、抽出袋の使用後は、袋だけを使い捨てにできる。【００１５】  この考案により、取り扱いが簡単なため、子供や素人等慣れない人でも、簡単にダシを取る事ができる。
【発明を実施するための最良の形態】
【００１６】  最良の形態として、図１のように、抽出袋（１）の開口部（２）の周りに筒抜け部Ａ（３）を二ヶ所設け、弾性の板状体を折り曲げ一方は短く、他方は折り曲げ部（６）を設け長くし、抽出袋のそれぞれ二ヶ所の筒抜け部Ａに通し、バンド（５）の折り返し線（７）より折り曲げ部を折り返し、バンドの短い方の端に折り曲げ部を受け入れる受け入れ部（８）を設け、折り曲げ部を抽出袋の筒抜け部Ａをたぐり寄せて、受け入れ部にはずれないように入れ、抽出袋の開口部にバンドを入れる事により、指どうしで押して大きくしっかりと開けて、材料を袋に入れ、指をはなした時は、材料が袋からこぼれないように平坦に閉じるようにして、バンドを取り付け取り外しできる抽出袋。【００１７】  また、図３のように、一つの開口部（２）を設けた抽出袋（１）で、Ｂ面の開口部の上部に筒抜け部Ａ（３）を設け、折り曲げ部（６）を設けた二つに折れる板状体を差込こみ、折れる部分（１２）から二つに折るようにして、Ｂ面はＡ面より、かぶせる部分（１１）を設け少し長くし、Ａ面の上部に筒抜け部Ｂ（４）を設け、その中に硬質のものを入れるか、適度な硬さの物するかして、Ａ面にＢ面のかぶせる部分（１１）をＡ面の上部に覆いかぶせるようにし、材料を入れ、Ｏ点とＰ点とを合わせるようにしＡ面とＢ面を合わせ、折れる部分から半分に折り、Ｑ点どうしを合わせ、バンドの折り曲げ部を折り返し、バンドの短い方の端に折り曲げ部を受け入れる受け入れ部（８）を設け、バンドの折り曲げ部を抽出袋の筒抜け部Ｂをたぐり寄せて、受け入れ部にはずれないように入れ、材料がこぼれないようにし、バンドを取り付け取り外しできる抽出袋。
【実施例】
【００１８】  バンドは、弾性の板状体とは限らず、細長い弾性の棒状のものでもよい。【００１９】  バンドの折り曲げる部分は、図２のように一端を固定、固着、溶着等でもよい。【００２０】  バンドの折り曲げ部（６）を設けず、図２のように、他端をホックでとめてもよい。また、他端の二枚を止める方法として、ツメやポッチ、クリップ、マジックテープ等外れなければどのように止めてもよい。【００２１】  図３で、バンドの折り曲げ部（６）を設けず、図５のように、筒抜け部Ａの真ん中あたりに切れ目を設け、図２のようなバンドを差し込んでもよい。【００２２】  材料の用途に応じて、バンドに着色をすることでいろいろな材料の使用目的により、使い分けができる。【００２３】  要するに、図１のように抽出袋の開口部に弾性のものを設け、開口部をしっかりと大きく広げればよい。また、図３のように抽出袋の開口部に板状のものを設け、抽出袋の開口部を二つに折り、開口部をしっかりと閉じればよい。
【産業上の利用可能性】
【００２４】  だれでも簡単に片手指で押すことが出来る程度の大きさにすることで、鍋やヤカンに抽出袋を放り込むだけでエキスが取れ、材料を大量に使う飲食店、旅館、病院、集会所、会議室等でも利用できる。【００２５】  図７のように、別の使用例として抽出袋に、アップリケを設け、ハーブや乾皮を入れて浴槽に入れ使用できる。
【図面の簡単な説明】
【００２７】
【図１】「請求項１」の抽出袋の筒抜け部Ａをたぐりよせた全体の斜視図である。
【図２】バンドの一端を固定、固着、溶着等にして、他端にホックを設け折れ曲がる部分（９）の間で弾性がはたらき開口部をしっかりと大きく広がるバンドの斜視図である。
【図３】「請求項２」の抽出袋の開口部を開けた全体の斜視図である。
【図４】「請求項２」の抽出袋を折れる部分（１２）から折り曲げた斜視図である。
【図５】「請求項２」の抽出袋の折れる部分（１２）あたりに切れ目を入れ、図２のバンドを差し込んだ斜視図である。
【図６】「請求項２」の抽出袋の図３の側面図である。
【図７】別の使用例として、浴槽に浮かべるため抽出袋にハーブや乾皮を入れ、花びらのアップリケの浮き輪をイメージした図である。
【符号の説明】
【００２８】  １  抽出袋
２  開口部
３  筒抜け部Ａ
４  筒抜け部Ｂ又は硬質部
５  バンド
６  折り曲げ部
７  折り返し線
８  受け入れ部
９  折れ曲がる部分
１１  かぶせる部分
１２  折れる部分
２１  抽出袋Ｏ点
２２  抽出袋Ｐ点
２３  抽出袋Ｑ点
【図１】
2009214932.tif 000003
【図２】
2009214932.tif 000004
【図３】
2009214932.tif 000005
【図４】
2009214932.tif 000006
【図５】
2009214932.tif 000007
【図６】
2009214932.tif 000008
【図７】
2009214932.tif 000009